(57)【要約】【課題】本発明は、操縦席の左右に各種操作具を設ける作業車両の操縦席であって、操縦席の左右幅を最適にしながら、各種操作具の操作性を良くする作業車両の操縦席を構成することを課題とする。【解決手段】走行機体の前側左右中央に操縦席（１）を設けた作業車両の操縦席において、右後輪を覆う右フェンダ（１６）より内側で、操縦席（１）の右側に設ける右サイドパネル（１８）上の操縦席（１）に最接近した位置に操縦者の右腕を載せる右アームレスト（２４）を設けたことを特徴とする作業車両の操縦席の構成とする。また、左後輪を覆う左フェンダ（１７）より内側で、操縦席（１）の左側に設ける左サイドパネル上の操縦席（１）に最接近した位置に操縦者の左腕を載せる左アームレスト（２７）を設けたことを特徴とする作業車両の操縦席の構成とする。【選択図】図２
2014231347.tif 000002
【特許請求の範囲】
【請求項１】
走行機体の前側左右中央に操縦席（１）を設けた作業車両の操縦席において、右後輪を覆う右フェンダ（１６）より内側で、操縦席（１）の右側に設ける右サイドパネル（１８）上の操縦席（１）に最接近した位置に操縦者の右腕を載せる右アームレスト（２４）を設けたことを特徴とする作業車両の操縦席。
【請求項２】
走行機体の前側左右中央に操縦席（１）を設けた作業車両の操縦席において、左後輪を覆う左フェンダ（１７）より内側で、操縦席（１）の左側に設ける左サイドパネル上の操縦席（１）に最接近した位置に操縦者の左腕を載せる左アームレスト（２７）を設けたことを特徴とする作業車両の操縦席。
【請求項３】
走行機体の前側左右中央に操縦席（１）を設けた作業車両の操縦席において、左右後輪を覆う左右フェンダより（１６），（１７）の内側で、操縦席（１）の左右両側に設ける左右サイドパネル（１７），（１８）上の操縦席（１）に最接近した位置に操縦者の左腕を載せる左アームレスト（２７）と右腕を載せる右アームレスト（２４）を設けたことを特徴とする作業車両の操縦席。
【請求項４】
左アームレスト（２７）と右アームレスト（２４）は操縦席（１）に対して前後位置と高さを略同一としたことを特徴とする請求項３に記載の作業車両の操縦席。
【請求項５】
左アームレスト（２７）と右アームレスト（２４）の両方或いはどちらか一方の上面に軟質材を張り付けたことを特徴とする請求項１から請求項４の何れかに記載の作業車両の操縦席。
【請求項６】
右アームレスト（２４）の下方に中空部を設け、右アームレスト（２４）を起伏すると前記中空部が現れるように構成したことを特徴とする請求項１、或いは請求項３から請求項４の何れかに記載の作業車両の操縦席。
【請求項７】
右アームレスト（２４）の下方にスイッチ類を配置可能なパネル部を設け、右アームレスト（２４）を起伏すると前記パネル部が現れるように構成したことを特徴とする請求項１、或いは請求項３から請求項４の何れかに記載の作業車両の操縦席。
【発明の詳細な説明】
【技術分野】
【０００１】
本発明は、作業車両の操縦席に関し、特に農業機械であるトラクタの操縦席に関する。
【背景技術】
【０００２】
トラクタの操縦席は、機体の左右中央に設けられ、その前側に操縦ハンドルが立設され、左右側部にアームレストと各種の操作レバーが立設されたサイド操作パネルが設けられる。
【０００３】
例えば、特開２０１０−１３０９１７号公報に記載の作業車両の操縦席は、左右フェンダの内側に設けられ、操縦席の左側サイドパネルに副変速レバーが立設され、右側サイドパネルに作業機昇降レバーが立設され、この右側サイドパネルの外側にアームレストが設けられている。
【先行技術文献】
【特許文献】
【０００４】
【特許文献１】特開２０１０−１３０９１７号公報
【発明の概要】
【発明が解決しようとする課題】
【０００５】
前記の従来技術では、アームレストが操縦席の右側で作業機昇降レバーの外側に設けられているために、右腕をアームレストに載せる際に作業機昇降レバーが邪魔になり、アームレストを最適位置に設定すると、作業機昇降レバーを立設する右側サイドパネルで操縦席の左右幅が狭くなって窮屈な操縦席になってしまう。
【０００６】
そこで、本発明は、操縦席の左右に各種操作具を設ける作業車両の操縦席であって、操縦席の左右幅を最適にしながら、各種操作具の操作性を良くする作業車両の操縦席を構成することを課題とする。
【課題を解決するための手段】
【０００７】
上記本発明の課題は、次の技術手段により解決される。
請求項１に記載の発明は、走行機体の前側左右中央に操縦席１を設けた作業車両の操縦席において、右後輪を覆う右フェンダ１６より内側で、操縦席１の右側に設ける右サイドパネル１８上の操縦席１に最接近した位置に操縦者の右腕を載せる右アームレスト２４を設けたことを特徴とする作業車両の操縦席とする。
【０００８】
請求項２に記載の発明は、走行機体の前側左右中央に操縦席１を設けた作業車両の操縦席において、左後輪を覆う左フェンダ１７より内側で、操縦席１の左側に設ける左サイドパネル上の操縦席１に最接近した位置に操縦者の左腕を載せる左アームレスト２７を設けたことを特徴とする作業車両の操縦席とする。
【０００９】
請求項３に記載の発明は、走行機体の前側左右中央に操縦席１を設けた作業車両の操縦席において、左右後輪を覆う左右フェンダより１６，１７の内側で、操縦席１の左右両側に設ける左右サイドパネル１７，１８上の操縦席１に最接近した位置に操縦者の左腕を載せる左アームレスト２７と右腕を載せる右アームレスト２４を設けたことを特徴とする作業車両の操縦席とする。
【００１０】
請求項４に記載の発明は、左アームレスト２７と右アームレスト２４は操縦席１に対して前後位置と高さを略同一としたことを特徴とする請求項３に記載の作業車両の操縦席とする。
【００１１】
請求項５に記載の発明は、左アームレスト２７と右アームレスト２４の両方或いはどちらか一方の上面に軟質材を張り付けたことを特徴とする請求項１から請求項４の何れかに記載の作業車両の操縦席とする。
【００１２】
請求項６に記載の発明は、右アームレスト２４の下方に中空部を設け、右アームレスト２４を起伏すると前記中空部が現れるように構成したことを特徴とする請求項１、或いは請求項３から請求項４の何れかに記載の作業車両の操縦席とする。
【００１３】
請求項７に記載の発明は、右アームレスト２４の下方にスイッチ類を配置可能なパネル部を設け、右アームレスト２４を起伏すると前記パネル部が現れるように構成したことを特徴とする請求項１、或いは請求項３から請求項４の何れかに記載の作業車両の操縦席とする。
【発明の効果】
【００１４】
請求項１に記載の発明で、操縦席１に接近した位置に右サイドパネル１８を設け、その右サイドパネル１８上に右アームレスト２４を設けることで作業車両の左右幅を必要最小限に出来て、操縦者が操縦席１のすぐ右に設ける右アームレスト２４に右腕を載せてゆったりとした姿勢で操縦操作を行える。
【００１５】
請求項２に記載の発明で、操縦席１に接近した位置に左サイドパネル１９を設け、その左サイドパネル１９上に左アームレスト２７を設けることで作業車両の左右幅を必要最小限に出来て、操縦者が操縦席１のすぐ右に設ける左アームレスト２７に左腕を載せてゆったりとした姿勢で操縦操作を行える。
【００１６】
請求項３に記載の発明で、操縦席１の左右両側に設ける左右サイドパネル１７，１８上の操縦席１に最接近した位置に操縦者の左腕を載せる左アームレスト２７と右腕を載せる右アームレスト２４を設けたことで作業車両の左右幅を必要最小限に出来て、操縦者が操縦席１のすぐ左右に設ける左アームレスト２７と右アームレスト２４に左右の腕を載せてゆったりとした姿勢で操縦を行える。
【００１７】
請求項４に記載の発明で、左アームレスト２７と右アームレスト２４の両方或いは一方を使う場合に操縦者の腕位置に適した前後位置と高さが略同一で戸惑うことなく使えて、使い勝手が良い。
【００１８】
請求項５に記載の発明で、請求項１から請求項４の何れかに記載の発明効果に加えて、左アームレスト２７と右アームレスト２４の両方或いはどちらか一方に腕を置いた場合にその上面が軟質材で柔らかく、感触が良い。
【００１９】
請求項６に記載の発明で、請求項１から請求項４の何れかに記載の発明効果に加えて、中空部を小物の物入れとして使用できる。
請求項７に記載の発明で、請求項１から請求項４の何れかに記載の発明効果に加えて、頻繁に使用しないスイッチ類を右アームレスト２４の下方に隠しておくことができる。
【図面の簡単な説明】
【００２０】
【図１】トラクタの側面図
【図２】操縦席周りの平面図である。
【図３】左前方から見た操縦席の斜視図である。
【図４】ハンドルポストの上面を操縦性からみた平面図である。
【図５】セミクローラ型トラクタの機体後部の斜視図である。
【図６】セミクローラ型トラクタの機体後部の側面図である。
【図７】セミクローラ型トラクタの左ステップ部の平面図である。
【図８】同上の正面図である。
【図９】同上の右側面図である。
【発明を実施するための形態】
【００２１】
以下、本発明の実施形態を図面に示す実施例を参照しながら説明する。なお、本明細書において作業車両の前進方向に向かって左右方向をそれぞれ左、右といい、前進方向を前、後進方向を後という。
【００２２】
本発明の実施の形態のトラクタは、図１に示す通り、車体の後部に左右一対の駆動用の後輪ｂを軸架し、前部にはステアリングハンドル２によって操舵される左右の前輪ａを軸架して構成している。左右の前輪ａを駆動して、４輪駆動走行ができるように構成してもよい。そして、トラクタは、ステアリングハンドル２を装備した運転座席１を囲んだキャビン１０の前方側をボンネットｃで覆い、その内部にエンジンや該エンジンの補器、即ち、ラジエーター、オイルクーラー、空調用のコンデンサー、インタークーラー、エアクリーナー、バッテリー等を内装して搭載した構成としている。
【００２３】
図２は、トラクタのキャビン１０の内部の平面図を示し、図３は、トラクタのキャビン１０の内部の左前方から見た斜視図を示している。左右の前輪を覆う右フェンダ１６と左フェンダ１７の間で左右中央に設けた操縦席１の前側にステアリングハンドル２を立設するハンドルポスト３を設け、このハンドルポスト３の上面にメータパネル４を設け、右側にライト・ウインカコンビネーションレバー５と作業機昇降レバー６を設け、左側に前後進レバー７を設けている。
【００２４】
図４の如く、メータパネル４の左下部には、ステアリングハンドル２を通して見える位置にハザードスイッチ３９とノークラ機能入切スイッチ４０とメータパネル表示切換スイッチ４１を設け、右下部には、サイドビューライトスイッチ４２とワンタッチ耕耘スイッチ４３とメインスイッチ４４を設けている。
【００２５】
底部フロア８上には、ハンドルポスト３の右側に右ブレーキペダル９と左ブレーキペダル１１及びアクセルペダル１２を設け、ハンドルポスト３の左側にクラッチペダル１３を設けている。
【００２６】
底部フロア８の左右側部には、乗降用の右ステップ１４と左ステップ１５を設けている。この右ステップ１４と左ステップ１５の内側に防護プレート４５，４６を張って内部の燃料タンクを保護している。
【００２７】
操縦席１の右側には、内側から外側に向けて順次高くした右サイドパネル１８を設けている。右サイドパネル１８は、操縦席１に隣接する下段部３１と、その外側から急傾斜で起立して中段部２１を経て上段部２０に至る形状に構成する。
【００２８】
下段部３１の前側でさらに低いレバーガイド部２２に主変速レバー２３とポジションレバー３３を左右に並列して立設し、後側に右アームレスト２４を設け、中段部２１に耕深ダイヤル３４とＰＴＯ自動・手動切換スイッチ３５とＰＴＯスイッチ３６を並べて設け、上段部２０に外部油圧レバー３２を立設している。主変速レバー２３と耕深ダイヤル３４とＰＴＯ自動・手動切換スイッチ３５とＰＴＯスイッチ３６と外部油圧レバー３２は、左アームレスト２７の外側で操縦席１に座った操縦者から等距離となるように円弧状に配置することで、操作性を良くしている。また、主変速レバー２３の変速溝に沿って変速位置表示ラベルを貼り付けている。さらに、主変速レバー２３とポジションレバー３３は、一体化して右フェンダ１６にボルトで取り付け、左アームレスト２７に腕を置いた状態で操作可能である。レバーガイド部２２の前内側を斜めに傾斜して操縦者がアクセルペダル１２を右足で操作するに支障ないようにしている。
【００２９】
なお、右アームレスト２４は、上面をスポンジで柔らかくした表装材で覆い、外側に設けるヒンジで下部のスイッチボックスを開閉可能で、スイッチボックス内には、回転数記憶スイッチやドラフト比調整ダイヤルや上げ調整ダイヤルや傾き調整ダイヤルや４ＷＤ切替スイッチや水平シリンダ手動上げ下げスイッチ等を設けている。また、右アームレスト２４の後部に電源ソケット３８を設けている。
【００３０】
操縦席１の左側には、操縦席１に隣接する下段部２５と、その外側から上段部３７へ立ち上がる側壁に凹み部を形成した左サイドパネル１９を設けている。そして、下段部２５の前寄りに副変速レバー２６を立設し、凹み部の前後略中央に操縦席１に向けて左アームレスト２７を突設している。この左アームレスト２７も上面をスポンジで柔らかくした表装材で覆い、前記の右アームレスト２４と前後位置と高さ及び操縦席１からの間隔が略同一で、操縦者が違和感なく腕を置ける。
【００３１】
上段部３７の後部には、小物入れ２８と灰皿ホルダ２９とカップホルダ３０を前後に並べて設けている。
右後輪を覆う右フェンダ１６より内側で、操縦席１の右側に設ける右サイドパネル１８上の操縦席１に最接近した位置に操縦者の右腕を載せる右アームレスト２４を設ける構成とする。これにより、トラクタの左右幅を必要最小限に出来て、操縦者が操縦席１のすぐ右に設ける右アームレスト２４に右腕を載せてゆったりとした姿勢で操縦操作を行えるようになる。
【００３２】
左後輪を覆う左フェンダ１７より内側で、操縦席１の左側に設ける左サイドパネル上の操縦席１に最接近した位置に操縦者の左腕を載せる左アームレスト２７を設ける構成とする。これにより、トラクタの左右幅を必要最小限に出来て、操縦者が操縦席１のすぐ右に設ける左アームレスト２７に左腕を載せてゆったりとした姿勢で操縦操作を行えるようになる。
【００３３】
また、左右後輪を覆う左右フェンダより１６，１７の内側で、操縦席１の左右両側に設ける左右サイドパネル１７，１８上の操縦席１に最接近した位置に操縦者の左腕を載せる左アームレスト２７と右腕を載せる右アームレスト２４を設けるように構成してもよい。これにより、トラクタの左右幅を必要最小限に出来て、操縦者が操縦席１のすぐ左右に設ける左アームレスト２７と右アームレスト２４に左右の腕を載せてゆったりとした姿勢で操縦を行えるようになる。
【００３４】
また、左アームレスト２７と右アームレスト２４は操縦席１に対して前後位置と高さを略同一に構成することで、左アームレスト２７と右アームレスト２４の両方或いは一方を使う場合に操縦者の腕位置に適した前後位置と高さが略同一で戸惑うことなく使えて、使い勝手が良くなる。
【００３５】
前記左アームレスト２７と右アームレスト２４の両方或いはどちらか一方の上面に軟質材を張り付ける構成とする。これにより、左アームレスト２７と右アームレスト２４の両方或いはどちらか一方に腕を置いた場合にその上面が軟質材で柔らかくて、感触が良くなる。また、長時間の作業運転にも疲れにくくなる。
【００３６】
前記右アームレスト２４の下方に中空部を設ける構成とする。この右アームレスト２４）を起伏させることで、中空部が現れるように構成されている。これにより、中空部を小物の物入れとして使用できるようになる。
【００３７】
また、前記右アームレスト２４の下方にスイッチ類を配置可能なパネル部を設け、右アームレスト２４を起伏すると前記パネル部が現れるように構成する。これにより、頻繁に使用しないスイッチ類を右アームレスト２４の下方に隠しておくことができるので、頻繁に使用しないスイッチ類の誤操作を防止できる。
【００３８】
図５と図６は、セミクローラタイプのトラクタの機体の後部分を示している。セミクローラタイプのトラクタは、後輪ｂに代えてクローラｄを採用している実施例である。そして、左右のクローラｄ、ｄを覆うフェンダーは、専用の左右のフェンダーｅ１、ｅ２で覆う構成としている。後輪ｂに代えてクローラｄを採用した場合、図６の側面図に示すように、クローラｄの前端部ｄ１が前側に張り出しているため、後輪で作用している左右のステップ１４、１５は使用できない。そこで、専用のステップｆを取り付ける構成とする。
【００３９】
図７，８，９は、セミクローラタイプのトラクタにおける左ステップｆの取付構成で、メインフレーム５１の下部に取り付けた燃料タンク４９の側面を覆うようにメインフレーム５１から下側方へ張り出す前ステー４７と後ステー４８の下端部に左ステップｆを水平に取り付け、前ステー４７と後ステー４８を繋いで防護プレート４６を張り付けている。また、後ステー４８は側面視でクローラｄの前傾斜面に沿わせて上部を広げている。
【符号の説明】
【００４０】
１    操縦席
１６    右フェンダ
１７    左フェンダ
１８    右サイドパネル
１９    左サイドパネル
２４    右アームレスト
２７    左アームレスト
【図１】
2014231347.tif 000003
【図２】
2014231347.tif 000004
【図３】
2014231347.tif 000005
【図４】
2014231347.tif 000006
【図５】
2014231347.tif 000007
【図６】
2014231347.tif 000008
【図７】
2014231347.tif 000009
【図８】
2014231347.tif 000010
【図９】
2014231347.tif 000011